(57)【要約】【課題】設置現場の状況等に応じて洗浄水の節水量を調節可能とし、適正に洗浄水の節水を図ることのできる洗浄切替カップを備えた洗浄タンク装置を提供する。【解決手段】ボールタップと、フロート弁３２と、小洗浄時においてはフロート弁体３４に対する錘となり、フロート弁体３４を早く閉弁着座させて洗浄水の放出水量を小洗浄用に少なく規制する一方、大洗浄時には水抜孔の開放によりフロート弁体３４を遅く閉弁させて大洗浄ように多く洗浄水を放出させる大小洗浄切替用の洗浄切替カップ４６と、切替弁６８とを設けて成る洗浄タンク装置において、洗浄切替カップ４６を下カップ５２と上カップ５４とで構成し且つ、上カップ５４を下カップ５２に対して脱着可能に構成し、その上カップ５４の取付状態で上カップ５４により洗浄切替カップとしての働きを行わせるようにする。【選択図】        図４
2007197985.tif 000002
【特許請求の範囲】
【請求項１】
便器の洗浄水を貯える洗浄タンク内部に、(イ)浮玉の昇降に基づいて洗浄タンク内への給水及び給水停止を行うボールタップと、(ロ)フロート弁体及び弁座とを有し、該フロート弁体の該弁座からの浮上りにより開弁して該洗浄タンク内の前記洗浄水を放出する排水弁としてのフロート弁と、(ハ)小洗浄時においては水抜孔の閉鎖により内部に水を溜めた状態となって前記フロート弁体に対する錘となり、該フロート弁体を早く前記弁座に着座させて洗浄水の放出水量を小洗浄用に少なく規制する一方、大洗浄時には該水抜孔の開放により水が抜けて該フロート弁体を遅く前記弁座に着座させ、前記小洗浄時よりも多く洗浄水を放出させる、前記フロート弁体と一体的に昇降する大小洗浄切替用の洗浄切替カップと、(ニ)該洗浄切替カップの水抜孔を開閉する切替弁と、を設けて成る洗浄タンク装置において
前記洗浄切替カップを下カップと該下カップに対して非連通の独立した上カップとで構成して、該下カップと上カップとのそれぞれに前記水抜孔を設け、且つ該上カップは該下カップに対して脱着可能に構成して該上カップの取付状態では、該上カップの非取付状態で該下カップによる洗浄切替カップとしての働きを該上カップにて行わせるようになし、前記切替弁には該上カップの水抜孔を開閉する上弁体を設けたことを特徴とする洗浄タンク装置。
【請求項２】
請求項１において、前記上カップが前記下カップに対してタンク壁側に偏った位置に設けてあることを特徴とする洗浄タンク装置。
【請求項３】
請求項２において、前記上カップの前記タンク壁側の周壁外面に、縦向きに延びるリブ状の摺動ガイドが該タンク壁の内面に向って突出状に設けてあることを特徴とする洗浄タンク装置。
【請求項４】
請求項１〜３の何れかにおいて、前記切替弁には、前記上弁体に加えて前記下カップの水抜孔を開閉する下弁体が設けてあることを特徴とする洗浄タンク装置。
【請求項５】
請求項１において、前記洗浄切替カップには、常時水を溜めた状態となって前記フロート弁体に対し錘として作用する、該洗浄切替カップとは別体をなす節水カップが前記上カップの下側に脱着可能に設けてあることを特徴とする洗浄タンク装置。
【請求項６】
請求項１〜５の何れかにおいて、前記上カップには仕切りによって仕切られた、常時水を溜めた状態となって前記フロート弁体に対して錘として作用する節水補助室が設けてあることを特徴とする洗浄タンク装置。
【発明の詳細な説明】
【技術分野】
【０００１】
この発明は洗浄タンク内部に貯えた洗浄水をフロート弁の開弁により放出して便器の洗浄を行う洗浄タンク装置に関し、詳しくは大小洗浄切替用の洗浄切替カップを備えた洗浄タンク装置に関する。
【背景技術】
【０００２】
従来、洗浄タンク装置にはタンク壁に洗浄ハンドルが設けられ、その洗浄ハンドルを大洗浄側に回転操作すると、洗浄タンク内部の洗浄水が多量に放出されて便器の大洗浄が行われ、また小洗浄側に小さく回転操作すると、洗浄タンク内の洗浄水が大洗浄時に比べて少ない量で放出され、便器の小洗浄が行われるようになっている。
【０００３】
従来の洗浄タンク装置では、洗浄ハンドルを小洗浄側に回転操作したときに回転角度を小さく規制するためのストッパが設けられており、小洗浄の際には洗浄ハンドルをそのストッパにて規制される位置に保持している必要があった。
この場合使用者は長い時間洗浄ハンドルを小洗浄側の回転操作位置に保持していなければならず、操作に面倒を伴う問題があった。
【０００４】
これに対し、大小洗浄切替用の洗浄切替カップと、切替弁とを備えることで、小洗浄に際して洗浄ハンドルを保持している必要を無くした洗浄タンク装置も提供されている。
詳しくは、便器の洗浄水を貯える洗浄タンク内部に、(イ)浮玉の昇降に基づいて洗浄タンク内への給水及び給水停止を行うボールタップと、(ロ)フロート弁体及び弁座とを有し、フロート弁体の弁座からの浮上りにより開弁して洗浄タンク内の洗浄水を放出する排水弁としてのフロート弁と、(ハ)小洗浄時においては水抜孔の閉鎖により内部に水を溜めた状態となってフロート弁体に対する錘となり、フロート弁体を早く弁座に着座させて洗浄水の放出水量を小洗浄用に少なく規制する一方、大洗浄時には水抜孔の開放によりフロート弁体を遅く弁座に着座させ、小洗浄時よりも多く洗浄水を放出させる、フロート弁体と一体的に昇降する大小洗浄切替用の洗浄切替カップと、(ニ)洗浄切替カップの水抜孔を開閉する切替弁と、を設けて成る洗浄タンク装置が従来公知である。
【０００５】
この従来公知の洗浄タンク装置における洗浄切替カップは、大洗浄時においてもフロート弁体に対する錘として作用し、かかる洗浄切替カップを備えていないものに比べて大洗浄時においても洗浄水の放出水量を少なくする機能、即ち節水の機能も有している。
【０００６】
このような洗浄タンク装置に対し、更に節水の機能を高めたものが下記特許文献１に開示されている。
図１５はその一例を示している。
同図において２００は洗浄タンクで、その上部に蓋を兼用した手洗鉢２０２が設けられている。この手洗鉢２０２からは手洗吐水管２０４が起立する形態で設けられている。
【０００７】
手洗吐水管２０４からの手洗水は手洗鉢２０２に落下した後、手洗鉢２０２の底部の排水口を通じて洗浄タンク２００内部に落下する。
２０６は洗浄タンク２００内部に配設されたボールタップで、浮玉２０８の昇降に連動して給水及び給水停止を行う。
即ち浮玉２０８が下降するとボールタップ２０６の弁部が開かれて、吐水口２１０を通じ洗浄タンク２００内部に給水が行われる。
【０００８】
また一方洗浄タンク２００内部の水面の上昇につれて浮玉２０８が上昇し、そしてその水面が満水状態になるとボールタップ２０６の弁部が閉じて給水を停止する。
このボールタップ２０６からはまた蛇腹管からなる導水管２１２が延び出していて、その先端部が手洗吐水管２０４に接続され、洗浄タンク２００への給水時に併せてこの導水管２１２を通じて手洗吐水管２０４への給水が行われる。
【０００９】
洗浄タンク２０６の底部にはフロート弁（排水弁）２１４が設けられている。
このフロート弁２１４は球状のフロート弁体２１６と、弁座２１８とを有しており、そのフロート弁体２１６に対して、洗浄タンク２００の側壁２００Ａに設けられた洗浄ハンドル２２０と一体に回転するＬ字状の作用レバー２２２の先端部が鎖２２４を介して連結されている。
而してこのフロート弁２１４は、洗浄ハンドル２１０が回転操作されるとフロート弁体２１６が弁座２１８から浮き上がって開弁し、ここにおいて洗浄タンク２００内の洗浄水が排出口２２６を通じて便器に向け放出される。
【００１０】
この例においては、フロート弁２１４におけるフロート弁体２１６の上側に大洗浄と小洗浄とを切り換える洗浄切替カップ２２８がフロート弁体２１６と一体に昇降する状態で連設されている。
洗浄切替カップ２２８には筒状のガイド部２３０が設けられていて、このガイド部２３０がオーバーフロー管２３２に上下摺動可能に外嵌し、洗浄切替カップ２２８がフロート弁体２１８とともに、それらによって昇降案内されるようになっている。
【００１１】
洗浄切替カップ２２８は、図１６（Ｂ）に示しているように内部に水溜室２３４を有しており、また底部に水抜孔２３６を有している。
２３８は切替弁で筒体２４０と、筒体２４０に対して上下移動可能な弁軸２４２とを有しており、この弁軸２４２に上記鎖２２４が連結されている。
尚筒体２４０は、洗浄切替カップ２２８に軸２４３周りに揺動可能に固定されている。
弁軸２４２の先端部には弁体２４４が設けられており、この弁体２４４がスプリング２４６にて下向きに付勢されている。
【００１２】
この洗浄タンク装置では、図１６の切替弁２３８が水抜孔２３６を開放する図中２点鎖線の位置にあるときには、フロート弁体２１６が弁座２１８に着座して弁部を閉じるまでの時間が長くなって、この間に排出口２２６から洗浄水が大洗浄用に多く放出される。
【００１３】
一方切替弁２３８が水抜孔２３６を閉鎖する図１６中実線で示す位置にあって、洗浄切替カップ２２８内部に水が溜まった状態の下では、洗浄切替カップ２２８のフロート弁体２１６に対する錘として働きにより、弁座２１８から浮き上がった状態のフロート弁体２１６が洗浄タンク２００内部の水面の下降時に早い段階から下降して、弁座２１８に着座するまでの時間が短くなる。従ってこの場合には洗浄水の放出量が小洗浄用に少なくなる。
【００１４】
この洗浄タンク装置では、洗浄切替カップ２２８の水抜孔２３６が開放される大洗浄時においても、洗浄切替カップ２２８がフロート弁体２１６に対する錘として作用し節水を行う。
【００１５】
洗浄切替カップ２２８内の水が水抜孔２３６を通じて流出する際に抵抗が働くため、図１５の洗浄タンク２００内の洗浄水の水面Ｗが下降して洗浄切替カップ２２８に到ってからの水面Ｗの下降に比べて、洗浄切替カップ２２８内部即ち水溜室２３４の水の水面の下降が遅く、洗浄切替カップ２２８内の水面の方が洗浄タンク２００内の洗浄水の水面Ｗよりも高くなって、洗浄切替カップ２２８自体がフロート弁体２１６に対し錘として働き、大洗浄時における洗浄水の放出量が、このような洗浄切替カップ２２８を備えていないものに比べて少なく規制される。
【００１６】
この洗浄切替カップ２２８にはまた、図１６（Ａ）に示しているようにその上部に節水用の小室２４８が設けられている。
この小室２４８は常時内部に水を溜めた状態にあって、フロート弁体２１６に対する錘として作用し、大洗浄時及び小洗浄時の何れにおいてもフロート弁体２１６が、このような小室２４８を備えていないものに較べて早い段階で下降し、洗浄タンク２００内部の洗浄水の放出量を少なくする。即ちこのような小室２４８を設けておいてそこに水を溜めておくことで、より多くの洗浄水量の節水を図ることができる。即ちこのような小室２４８を設けておくことで２重の節水を図ることができる。
【００１７】
ところでこの洗浄タンク装置では、洗浄切替カップ２２８及び小室２４８の容量が一定で、節水の量が予め定められた量で一定であり、従ってこれを便器及び洗浄タンク装置の設置現場の状況に応じて、或いは洗浄タンクの種類や形状等に応じて調節することができないといった問題があった。
便器及び洗浄タンクの設置現場の状況によっては、或いは洗浄タンク装置の備え付けられる便器或いは洗浄タンクの種類や形状によっては適正な洗浄水量即ち適正な節水量が異なって来るが、図１５に示す洗浄タンク装置ではこのような場合に対応することができず、洗浄水量，節水量を適正に調節できないといった問題があった。
【００１８】
【特許文献１】特開２００２−１６７８３８号公報
【発明の開示】
【発明が解決しようとする課題】
【００１９】
本発明は以上のような事情を背景とし、設置現場の状況等に応じて洗浄水の節水量を調節可能とし、適正に洗浄水の節水を図ることのできる洗浄切替カップを備えた洗浄タンク装置を提供することを目的としてなされたものである。
【課題を解決するための手段】
【００２０】
而して請求項１のものは、便器の洗浄水を貯える洗浄タンク内部に、(イ)浮玉の昇降に基づいて洗浄タンク内への給水及び給水停止を行うボールタップと、(ロ)フロート弁体及び弁座とを有し、該フロート弁体の該弁座からの浮上りにより開弁して該洗浄タンク内の前記洗浄水を放出する排水弁としてのフロート弁と、(ハ)小洗浄時においては水抜孔の閉鎖により内部に水を溜めた状態となって前記フロート弁体に対する錘となり、該フロート弁体を早く前記弁座に着座させて洗浄水の放出水量を小洗浄用に少なく規制する一方、大洗浄時には該水抜孔の開放により水が抜けて該フロート弁体を遅く前記弁座に着座させ、前記小洗浄時よりも多く洗浄水を放出させる、前記フロート弁体と一体的に昇降する大小洗浄切替用の洗浄切替カップと、(ニ)該洗浄切替カップの水抜孔を開閉する切替弁と、を設けて成る洗浄タンク装置において、前記洗浄切替カップを下カップと該下カップに対して非連通の独立した上カップとで構成して、該下カップと上カップとのそれぞれに前記水抜孔を設け、且つ該上カップは該下カップに対して脱着可能に構成して該上カップの取付状態では、該上カップの非取付状態で該下カップによる洗浄切替カップとしての働きを該上カップにて行わせるようになし、前記切替弁には該上カップの水抜孔を開閉する上弁体を設けたことを特徴とする。
【００２１】
請求項２のものは、請求項１において、前記上カップが前記下カップに対してタンク壁側に偏った位置に設けてあることを特徴とする。
【００２２】
請求項３のものは、請求項２において、前記上カップの前記タンク壁側の周壁外面に、縦向きに延びるリブ状の摺動ガイドが該タンク壁の内面に向って突出状に設けてあることを特徴とする。
【００２３】
請求項４のものは、請求項１〜３の何れかにおいて、前記切替弁には、前記上弁体に加えて前記下カップの水抜孔を開閉する下弁体が設けてあることを特徴とする。
【００２４】
請求項５のものは、請求項１において、前記洗浄切替カップには、常時水を溜めた状態となって前記フロート弁体に対し錘として作用する、該洗浄切替カップとは別体をなす節水カップが前記上カップの下側に脱着可能に設けてあることを特徴とする。
【００２５】
請求項６のものは、請求項１〜５の何れかにおいて、前記上カップには仕切りによって仕切られた、常時水を溜めた状態となって前記フロート弁体に対して錘として作用する節水補助室が設けてあることを特徴とする。
【発明の作用・効果】
【００２６】
以上のように本発明は、洗浄切替カップを下カップと、これとは非連通の上カップとで構成するとともに、その上カップを下カップに対して脱着可能に構成し、そして上カップの取付状態では、上カップの非取付状態で下カップによる洗浄切替カップとしての働きを上カップにて行わせるようになすとともに、上カップの水抜孔を切替弁に設けた上弁体にて開閉するようになしたものである。
【００２７】
本発明によれば、設置現場の状況等に応じ下カップに対し上カップを取り付けることで、下カップによる洗浄切替えに比べてより多くの節水を行わせるようになすことができる。
上カップを取り付け、そしてその上カップにて洗浄切替えを行わせるようになした場合、洗浄タンク内の洗浄水の水面の下降時に、下カップによる洗浄切替えの場合に比べて、洗浄タンク内部の洗浄水の水面の下降時により早い段階から上カップがフロート弁体に対する錘として働くようになり、このことによって節水量を多くすることができる。
また上カップの種類を様々に異ならせることで、節水量を容易に調節することができる。
一方上カップを取り付けることで節水が過度となる場合には、その上カップを取り外し、下カップにて洗浄切替えを行わせるようになすことができる。
【００２８】
本発明では、上カップを下カップに対してタンク壁側に偏った位置に設けておくことができる（請求項２）。
【００２９】
このようにしておくことで、洗浄切替カップがフロート弁体と一体に昇降し、或いはまたボールタップの浮玉が水面の上下動に伴って昇降する際、かかる洗浄切替カップと浮玉との干渉を良好に回避でき、洗浄水の放出動作及び洗浄タンク内部への給水動作を支障なく円滑に行うことができる。
また洗浄タンクがコンパクトで内部のスペースに余裕のない場合であっても支障なく適用することが可能となる。
【００３０】
請求項３は、上カップのタンク壁側の周壁外面に、縦向きに延びるリブ状の摺動ガイドをタンク壁の内面に向って突出状に設けたもので、この請求項３によれば、上カップをタンク壁側に偏って設けることによって、洗浄切替カップが上下動する際に上カップがタンク壁に接触することがあっても、そのリブ状の摺動ガイドをタンク壁に部分的に接触させることで、上カップの周壁外面、詳しくはタンク壁側の周壁外面の全体がタンク壁に当るのを防止し得、摺動ガイドの作用で上カップ即ち洗浄切替カップの円滑な動作を確保することが可能となる。
【００３１】
請求項４は、切替弁に下カップの水抜孔と上カップの水抜孔とを開閉する下弁体と上弁体とを設けたもので、この請求項４によれば、単一の切替弁を設けておくだけで、下カップの水抜孔の開閉と上カップの水抜孔の開閉とを行うことができ、洗浄タンク装置の構成を簡素化することができる。
【００３２】
次に請求項５は上カップの下側に、常時水を貯めた状態となってフロート弁体に対し錘として作用する、洗浄切替カップとは別体の節水カップを洗浄切替カップに対して脱着可能に設けたもので、この請求項５によれば、大洗浄時，小洗浄時の何れにおいてもその節水カップの働きによってフロート弁体の閉弁までの時間を更に短くし得て、より多くの洗浄水の節水を図ることができる。
【００３３】
またこの節水カップは脱着可能なものであって、かかる節水カップとして様々な容量のものを用意しておいて、適宜のものを選択して用いることで、設置現場等の状況に応じ節水量を簡単に調節することができる。
また節水カップを取り付けることで節水量が過多となってしまう場合には、この節水カップを取り外しておくことで対応することができる。
【００３４】
請求項６は上記上カップに、仕切りにより仕切られた、常時水を貯めた状態となってフロート弁に対し錘として作用する節水補助室を設けたもので、この請求項６によれば、節水カップの有無に拘らず常時節水を果たすことができる。
また節水カップを取り付けた場合において且つかかる節水カップとして用意されている容量最大のものを用いても尚節水が不十分である場合においても、目的とする量で節水を図ることが可能となる。
【発明を実施するための最良の形態】
【００３５】
次に本発明の実施形態を図面に基づいて詳しく説明する。
図１〜図３において、１０は洗浄タンクで陶器製のアウタータンク１２と、その内側の樹脂製のインナータンク１４との二重タンク構造をなしている。
アウタータンク１２の上部には、その蓋を兼用した陶器製の手洗鉢１６が設けられており、この手洗鉢１６から手洗吐水管１８が起立する形態で設けられている。
手洗鉢１６の底部には排水孔２０が設けられており、手洗吐水管１８から吐水された手洗水が、この排水孔２０から洗浄タンク１０内部へと落下する。
【００３６】
洗浄タンク１０の内部にはボールタップ２２が配設されている。
このボールタップ２２は、弁部が連動アーム２４及び調節用のボルト２６を介して浮玉２８に連設されており、浮玉２８の昇降によって弁部を開閉し、その弁部の開閉によって洗浄タンク１０内への給水及び給水停止を行う。
ここで調節用のボルト２６は、浮玉２８の上下位置の調節を行うものである。
このボールタップ２２には、洗浄タンク１０内部に給水を行うための吐水部２９が設けられており、更にこのボールタップ２２からは手洗吐水管１８への給水を行うための蛇腹管から成る導水管３０が延び出していて、その先端部が手洗吐水管１８に差込接続されている。
【００３７】
洗浄タンク１０の底部には、フロート弁（排水弁）３２が配設されている。
このフロート弁３２は、球状のフロート弁体３４と弁座３６とを有しており、そのフロート弁体３４が弁座３６から浮き上がることによって排出口３８を開放し、またフロート弁体３４が弁座３６に着座することによって排出口３８を閉鎖する（図１参照）。
【００３８】
一方洗浄タンク１０の側壁には、洗浄ハンドル４０が回転可能に取り付けられている。
この洗浄ハンドル４０からはＬ字状をなす作用レバー４２が洗浄タンク１０内部に延び出しており、その先端とフロート弁体３４とが、鎖４４によって洗浄切替カップ４６を介し連結されている。
ここで洗浄切替カップ４６とフロート弁体３４とは一体に上下動するように連設されており、更にまた洗浄切替カップ４６には円筒状のガイド部４８が設けられていて、そのガイド部４８がオーバーフロー管５０の外周面に上下摺動可能に外嵌されている。
洗浄切替カップ４６及びフロート弁体３４は、これらガイド部４８及びオーバーフロー管５０の案内の下に上下動する。
【００３９】
図４〜図８に洗浄切替カップ４６の構成が具体的に示してある。
これらの図に示しているように、洗浄切替カップ４６は主カップとしての下カップ５２と、下カップ５２に対して別体を成し、下カップ５２とは非連通の独立したアダプタカップとしての上カップ５４とで構成してある。
ここで下カップ５２，上カップ５４の何れも上端が開放されている。
【００４０】
下カップ５２は円筒形状をなしていてその内部に水溜室５６を有し、また底部には水抜孔５８が設けられている。
一方上カップ５４は平面形状が概略矩形状をなしており、図２及び図３に示しているように下カップ５２に対して洗浄タンク１０の前壁側に偏った位置に設けられている。詳しくは上カップ５４は、その周壁の図４中左側の前部及び右側の後部のそれぞれが、下カップ５２における周壁の対応する前部及び後部よりもタンク壁側、詳しくは前壁側にずれた位置に配置されている。
【００４１】
この上カップ５４は、その内部に水溜室６０を有しており、また周壁後部（図中右部）の下端部に水抜孔６２が設けられている。
尚この上カップ５４からは板状の支持脚６４が下向きに延び出しており、その下端部にリング状の嵌込部６６が設けられている。上カップ５４は、このリング状の嵌込部６６を下カップ５２の上端部に嵌め込むことで、下カップ５２に脱着可能に組み付けられている。
尚嵌込部６６には、図６及び図８に示しているように下向きに突出する弾性アーム９８が設けられていて、この弾性アーム９８が下カップ５２の上端部外周面を弾性的に圧接されるようになっている。
【００４２】
６８は切替弁で、下カップ５２に対して上下位置が固定に設けられた筒体７０と、その内部に上下移動可能に挿通された弁軸７２とを有しており、この弁軸７２の上端部に上記鎖４４が連結されている。弁軸７２は、この鎖４４の引き上げによって筒体７０内部を上向きに相対移動する。
弁軸７２の下端部には、下カップ５２の水抜孔５８を開閉する下弁体８０が設けられており、かかる下弁体８０が弁軸７２と一体にコイルスプリング８２にて下向きに付勢されている。
筒体７０には、図８にも示しているようにその上端部に軸７４が設けられており、この軸７４が、下カップ５２から上向きに立ち上がった軸受部７６の軸孔７８に回転可能に嵌合されている。
これによって切替弁６８が、詳しくは筒体７０が軸７４の軸心周りに図４中左右方向に揺動可能とされている。
【００４３】
切替弁６８、詳しくは筒体７０からはまた屈曲形状を成すアーム８４が上向きに延び出している。そしてその上端部且つ上カップ５４側に、上カップ５４の水抜孔６２を開閉する上弁体８６が設けられている。
【００４４】
ここで上弁体８６は、図５に示しているように下弁体８０が下カップ５２の水抜孔５８を開放したときには、上カップ５４の水抜孔６２を開放し、また図４に示しているように下弁体８０が下カップ５２の水抜孔５８を閉鎖したときには、上カップ５４の水抜孔６２を閉鎖する。
尚、図５は大洗浄を行う際の洗浄切替カップ４６及び切替弁６８の状態を表しており、また図４は小洗浄を行う際のそれら洗浄切替カップ４６及び切替弁６８の状態を表している。
【００４５】
洗浄切替カップ４６には、上カップ５４の真下位置且つ下カップ５２に対して高位置に、節水カップ８８が脱着可能に取り付けられている。
この節水カップ８８は、内部の水溜室９０に常時水を貯めた状態にあって、フロート弁体３４に対し常時錘として作用する。
ここで節水カップ８８は、上端が開放形状とされており、またその外面には図６に示しているように掛止爪９１，９２が設けられていて、その掛止爪９１が上カップ５４の側に一体に設けられた被掛止部９４に掛止され、また今一方の掛止爪９２が同じく上カップ５４の側、詳しくは図７及び図８に示すリング状の嵌込部６６に設けられた掛止孔９６に掛止されることで、かかる節水カップ８８が洗浄切替カップ４６に脱着可能に取り付けられ保持されている。
【００４６】
上カップ５４には、図７に示しているようにその周壁後部且つ図１の正面視において右端部と左端部とに、後方に突出し且つ上下に延びる突出部１０２が設けられている。
これら突出部１０２の内部は、仕切り１０４にて上カップ５４の水溜室６０とは仕切られており、その仕切り１０４によって、突出部１０２の内部に小室から成る節水補助室１０６が設けられている。ここで節水補助室１０６の高さは上カップ５４の水溜室６０と同等高さとされている。
【００４７】
この節水補助室１０６は、内部に常時水を貯めてフロート弁体３４に対する錘として作用する。
一方上カップ５４の周壁前部には、同じく図１の正面視において右端部と左端部とにタンク壁、詳しくはインナータンク１４の前壁側に向って突出し且つ上下に延びるリブ状の摺動ガイド１０８が設けられている。
【００４８】
これらリブ状の摺動ガイド１０８は、インナータンク１４の種類や形状、サイズ等によって上カップ５４がインナータンク１４の前壁の内面に接触する可能性がある場合、かかる摺動ガイド１０８がその内面に接触して摺動案内をなし、上カップ５４の周壁前部の全体がインナータンク１４の前壁内面に接触するのを防止して、上カップ５４の円滑な上下運動を確保する働きをなす。
【００４９】
次に本実施形態の作用を図９〜図１２を参照して説明する。
図９及び図１０は大洗浄時の作用を示したもので、図９（Ｉ）は、洗浄ハンドル４０を図３中奥側に回転操作して大洗浄を行う際の操作時の状態を表している。
このとき切替弁６８は、鎖４４が奥側（後側）に引張られることによって図中時計方向に回転動作し、下カップ５２の水抜孔５８及び上カップ５４の水抜孔６２のそれぞれを開放状態とする。
そしてこの状態でフロート弁体３４及び洗浄切替カップ４６が鎖４４の引き上げによって一体に上昇し、図１の排出口３８を開放する。
これによって洗浄タンク１０内部に貯えられていた洗浄水が排出口３８から下向きに放出開始される。
【００５０】
洗浄水の放出に伴って洗浄タンク１０内の洗浄水の水面Ｗが下がり、そして水面Ｗが上カップ５４の上端に達してからは、水面Ｗの下降とともに上カップ５４内部の水が水抜孔６２から水抜きされる。
但しこのとき、水抜孔６２における抵抗によって水面Ｗの下降速度よりも上カップ５４内の水面の下降速度は遅くなる。
その結果として、上カップ５４がフロート弁体３２に対する錘として作用する。
【００５１】
従ってこのような上カップ５４が無い場合に比べてフロート弁体３２は早い段階から下降開始し、洗浄水量の節水が行われる。
水面Ｗが更に下降して節水カップ８８にさしかかると(図９（II）及び図１０参照)、内部に水を貯めた節水カップ８８のフロート弁体３４に対する錘の作用が加わり、更にはまた上カップ５４に設けた節水補助室１０６のフロート弁体３４に対する錘としての作用により、引き続く水面Ｗの下降に伴って洗浄切替カップ４６及びフロート弁体３４がともに下降する。
【００５２】
尚このとき下カップ５２は水没状態にあってフロート弁体３４に対する錘としては働かない。
下カップ５２は単独では洗浄切替カップとして働き、また節水を行う機能も有するが、上カップ５４を下カップ５２に取り付けることによって、下カップ５２の洗浄切替カップとしての機能及びフロート弁体３２に対する錘として作用は無くなり、上カップ５４が洗浄切替カップとして働き、またフロート弁体３２に対する錘として作用する。
その後図９（III）に示しているように最終的にフロート弁体３４が弁座３６に着座して、排出口３８からの洗浄水の放出が停止する。
【００５３】
一方図１１，図１２は洗浄ハンドル４０を図３中手前側に回転操作して小洗浄を行う際の作用を示している。
図１１（Ｉ）は、ハンドル４０を小洗浄側に回転操作したときの状態を表しており、このとき切替弁６８は、鎖４４が手前側に引張られることによって軸７４を中心として反時計方向に回転動作し、下カップ５２の水抜孔５８及び上カップ５４の水抜孔６２を閉鎖した状態となる。
フロート弁体３４は、この状態で鎖４４の引上げによって洗浄切替カップ４６とともに上方に持ち上げられ、排出口３８を開放する。
そしてこれと同時に排出口３８からの洗浄水の放出が開始される。
【００５４】
洗浄水の放出に伴って図１１（II）及び図１２に示しているように洗浄タンク１０内部の水面Ｗは下降する。
この小洗浄時においては、洗浄切替カップ４６における上カップ５４の水抜孔６２は閉鎖された状態にあり（下カップ５２の水抜孔５８も閉鎖状態）、上カップ５４は内部の水溜室６０に水を溜めた状態にあって、フロート弁体３４に対する錘として作用する。
従ってこの小洗浄時においては、洗浄水の水面Ｗが上カップ５４に差し掛かると、その上カップ５４の錘としての作用が加わり且つ上カップ５４内の満水状態の水全体が錘となって大洗浄時よりも重くなるため、フロート弁体３４が洗浄切替カップ４６及び節水カップ８８とともに大洗浄時よりも早い段階から下降開始し、図１１（III）に示す閉弁状態となる。
【００５５】
而してこの小洗浄時においてはフロート弁体３４が早くから下降開始して閉弁するまでの時間が短いことから、その間に排出口３８から放出される洗浄水の放出量が少なく規制され、少量の洗浄水にて便器の小洗浄を行う。
【００５６】
以上のような本実施形態では、設置現場の状況等に応じて下カップ５２に対し上カップ５４を取り付けることで、下カップ５２だけによる洗浄切替えに比べて、より多くの節水を行わせることができる。
また上カップ５４の種類を様々に異ならせることで節水量を容易に調節することができる。
一方上カップ５４を取り付けることで節水が過度となる場合にはその上カップ５４を取り外し、下カップ５２にて洗浄切替えを行わせるようになすことで節水が過度となるのを防ぐことができる。
【００５７】
また本実施形態では、上カップ５４及びその下側の節水カップ８８が浮玉２８との干渉を回避するように、下カップ５４に対しタンク壁側に偏った位置に設けてあり、これにより、洗浄切替カップ４６がフロート弁３４と一体に昇降し、或いはまたボールタップ２２の浮玉２８が水面の上下動に伴って昇降する際、かかる洗浄切替カップ４６の上カップ５４及び節水カップ８８と浮玉２８との干渉を良好に回避でき、洗浄水の放出動作及び洗浄タンク１０内部への給水動作を支障なく円滑に行うことができる。
また洗浄タンク１０がコンパクトで内部のスペースに余裕のない場合にも支障なく適用することができる。
【００５８】
また上カップ５４のタンク壁側の周壁外面に、縦向きに延びるリブ状の摺動ガイド１０８をタンク壁の内面に向って突出状に設けていることから、上カップ５４をタンク壁側に偏って設けることによって洗浄切替カップ４６が上下動する際に、上カップ５４がタンク壁に接触することがあっても、その摺動ガイド１０８をタンク壁に部分的に接触させることで、上カップ５４の周壁外面、詳しくはタンク壁側の周壁前部の外面全体がタンク壁に当るのを防止し得、上カップ５４即ち洗浄切替カップ４６の円滑な動作を確保することが可能となる。
【００５９】
更に下カップ５２の水抜孔５８と上カップ５４の水抜孔６２とを開閉する下弁体８０と上弁体８６とが、同じ切替弁６８に設けてあるため、大洗浄と小洗浄とを切り替えるための洗浄切替機構を簡素化することができる。
【００６０】
また本実施形態では、上カップ５４を偏って配置したことにより、その直下に生じたスペースに、常時水を貯めた状態となってフロート弁体３４に対し錘として作用する節水カップ８８を脱着可能に配置していることから、大洗浄時，小洗浄時の何れにおいても節水カップ８８の働きによって、フロート弁体３４の閉弁までの時間を更に短くでき、より多くの洗浄水の節水を図ることができる。
【００６１】
またこの節水カップ８８は脱着可能となしてあって、予め用意してある適宜の容量のものを選択して取り付けることで、節水量を設置現場の状況等に応じて容易に調節することができる。
また節水カップ８８を取り付けることで節水が過度となる場合には、節水カップ８８を外しておくことで節水が過度となるのを回避することができる。
【００６２】
加えて本実施形態では上カップ５４に、常時水を貯めた状態となってフロート弁３２に対し錘として作用する節水補助室１０６を設けているため、節水カップ８８の有無に拘らず節水を図ることができる。
また節水カップ８８を取り付けた場合において、且つかかる節水カップ８８として用意されている容量最大のものを取り付けた場合においても尚節水が不十分である場合においても、目的とする量で節水を図ることが可能となる。
【００６３】
図１３は上カップ５４の他の形態例を示している。
このうち（イ）の例は、上記の突出部１０２及び節水補助室１０６を設けない場合の例であり、また（ロ）の例は突出部１０２を設ける一方、その突出部１０２の内部と上カップ５４の内部の水溜室６０との間の仕切り１０４を設けない場合の例である。この場合には突出部１０２の内部もまた水溜室６０を構成することとなる。
一方（ハ）の例は、上カップ５４の周壁前部に切欠１１０を設けた例である。
【００６４】
他方図１４は、洗浄切替カップ４６に対して脱着可能な節水カップ８８の種類を表している。
このうち（イ）のものは上下寸法が最も大きく、容量が最も大きいもので、（ロ）のものは上下寸法が最も小さく、従って内部の容量が最も小さいものを、また（ハ）のものは（イ）と（ロ）の中間の高さ及び容量のものである。
このように様々に異なった容量の節水カップ８８を洗浄切替カップ４６に取り付けることで、フロート弁体３４に対する錘の作用を異ならせることができる。
【００６５】
以上本発明の実施形態を詳述したがこれはあくまで一例示であり、本発明はその趣旨を逸脱しない範囲において種々変更を加えた形態で構成可能である。
【図面の簡単な説明】
【００６６】
【図１】本発明の一実施形態である洗浄タンク装置の内部構造を示す正面断面図である。
【図２】同実施形態の洗浄タンク装置の側面断面図である。
【図３】同実施形態の洗浄タンク装置の斜視図である。
【図４】同実施形態における洗浄切替カップ及び切替弁を周辺部とともに示す図である。
【図５】図４とは異なる作用状態の洗浄切替カップ及び切替弁を周辺部とともに示す図である。
【図６】図４の各部品を分解して示す図である。
【図７】同実施形態における上カップ，節水カップを周辺部とともに示す図である。
【図８】同実施形態における上カップ及び切替弁を分解して示す斜視図である。
【図９】同実施形態の大洗浄時の作用説明図である。
【図１０】図９の要部を拡大して示す図である。
【図１１】同実施形態の小洗浄時の作用説明図である。
【図１２】図１１の要部を拡大して示す図である。
【図１３】上カップの他の形態例を示す図である。
【図１４】節水カップの他の形態例を示す図である。
【図１５】従来の洗浄タンク装置の内部構造を示す正面図である。
【図１６】図１５の洗浄タンク装置における洗浄切替カップの図である。
【符号の説明】
【００６７】
１０  洗浄タンク
２２  ボールタップ
２８  浮玉
３２  フロート弁
３４  フロート弁体
３８  弁座
４６  洗浄切替カップ
５２  下カップ
５４  上カップ
５８，６２  水抜孔
６８  切替弁
８０  下弁体
８６  上弁体
８８  節水カップ
１０４  仕切り
１０６  節水補助室
１０８  摺動ガイド
【図１】
2007197985.tif 000003
【図２】
2007197985.tif 000004
【図３】
2007197985.tif 000005
【図４】
2007197985.tif 000006
【図５】
2007197985.tif 000007
【図６】
2007197985.tif 000008
【図７】
2007197985.tif 000009
【図８】
2007197985.tif 000010
【図９】
2007197985.tif 000011
【図１０】
2007197985.tif 000012
【図１１】
2007197985.tif 000013
【図１２】
2007197985.tif 000014
【図１３】
2007197985.tif 000015
【図１４】
2007197985.tif 000016
【図１５】
2007197985.tif 000017
【図１６】
2007197985.tif 000018